(57)【特許請求の範囲】
【請求項１】
シリコン薄膜太陽電池堆積のための表面給電電極構造であって、
アノード板およびカソード板を有する電極板要素と、
電極板要素上に構成された信号給電ポートと、
を含み、
電極板要素のアノード板が電源信号のプラス端に接続および接地され、
信号給電ポートがカソード板の裏側の中心領域の凹状円形領域に位置し、
信号給電要素が表面接触によって信号給電ポートに接続され、無線周波（ＲＦ）または超短波（ＶＨＦ）電源信号のマイナス端に接続され、
ＲＦ／ＶＨＦ電源信号が表面給電モードで給電され、
信号給電要素の一つの端部が半円形状であり、
カソード板のシールドカバーにスルーホールが構成される、
表面給電電極構造。
【請求項２】
信号給電要素が、絶縁層および外側シールド層を包含する、請求項１記載のシリコン薄膜太陽電池堆積のための表面給電電極構造。
【請求項３】
信号給電要素が、胴部およびヘッド部を有する段形状の導電性ストリップである、請求項２記載のシリコン薄膜太陽電池堆積のための表面給電電極構造。
【請求項４】
信号給電要素が、平坦な胴部および半円形状のヘッド部を包含する、請求項１〜３のいずれか一項記載のシリコン薄膜太陽電池堆積のための表面給電電極構造。
【請求項５】
信号給電要素が、銅製の給電コア、絶縁層、および外側シールド層を包含する、請求項１記載のシリコン薄膜太陽電池堆積のための表面給電電極構造。
【請求項６】
電極板要素が、単一表面放電カソード板、セラミック絶縁層およびシールドカバーを包含する、請求項１記載のシリコン薄膜太陽電池堆積のための表面給電電極構造。
【請求項７】
シールドカバーが、カソード板の背面および側部表面全体を覆う、請求項１記載のシリコン薄膜太陽電池堆積のための表面給電電極構造。
【請求項８】
電極板要素が、シールドカバーおよびアノード板を接地するための接地を包含し、カソード板とアノード板とが特定の放電距離で分離される、請求項１記載のシリコン薄膜太陽電池堆積のための表面給電電極構造。
【請求項９】
シールドカバーが、ＲＦ／ＶＨＦ電源信号を給電するために、カソード板の裏側の中央位置および周囲側部のシールドを包含する、請求項１記載のシリコン薄膜太陽電池堆積のための表面給電電極構造。
【請求項１０】
信号給電要素の一つの端部が、ＲＦ／ＶＨＦ電源信号のマイナス出力ポートおよび電源整合装置に接続される、請求項１記載のシリコン薄膜太陽電池堆積のための表面給電電極構造。
【請求項１１】
シリコン薄膜太陽電池堆積のための表面給電電極構造の信号給電方法であって、
電極板要素上に構成された信号給電ポートを有する電極板要素を提供する工程と、
表面給電モードで無線周波（ＲＦ）または超短波（ＶＨＦ）電源信号を給電する工程と、を含み、
信号給電要素を使用し、表面接触で信号給電ポートを接続してＲＦ／ＶＨＦ電源信号を給電することにより、表面給電モードが実現され、
カソード板の裏側の中心領域の凹状円形領域に信号給電ポートが位置し、
カソード板のシールドカバーにスルーホールが構成される、
信号給電方法。
【請求項１２】
信号給電要素がスルーホールから出る時にシールドカバーに接触しないように、カソード板のシールドカバーにスルーホールが構成される、請求項１１記載のシリコン薄膜太陽電池堆積のための表面給電電極構造の信号給電方法。
【請求項１３】
信号給電要素が胴部およびヘッド部を有する段形状の導電性ストリップである、請求項１１記載のシリコン薄膜太陽電池堆積のための表面給電電極構造の信号給電方法。
【発明の詳細な説明】
【技術分野】
【０００１】
本発明は、一般的に太陽電池技術に関し、より詳細には、超短波（ＶＨＦ）駆動のシリコン系薄膜太陽電池堆積チャンバで使用される電極に関する。
【０００２】
背景
現在、シリコン系薄膜太陽電池は、多くの場合、プラズマ増強化学気相堆積（ＰＥＣＶＤ）を使用して、単接合または多接合の光起電ＰＩＮ膜層を構築している。このタイプの無線周波（ＲＦ）容量結合型平行板反応器は、通常、種々の材料、例えば、アモルファスシリコン、アモルファスシリコンゲルマニウム、炭化シリコン、窒化シリコンおよび酸化シリコン等の大面積薄膜堆積を製造するために使用される。薄膜太陽電池業界では、支持フレームの付いた電極を、通例、クランプユニット、ホルダまたは固定具と呼び、チャンバの内側に配設されたホルダを持つプラズマ化学気相堆積装置は、多くの場合、「堆積ボックス」、すなわち、反応器チャンバと呼ばれる。
【０００３】
シリコン薄膜太陽電池分野は、太陽電池業界の重要な部門であり、ホルダは、太陽業界のコア機器の一つとなっている。１３．５６MHz  ＲＦは、高速アモルファスシリコン薄膜堆積で広く使用され、高い効率および低いプロセスコストを有する。シリコン薄膜技術の需要の高まりにつれ、微結晶およびナノ結晶のシリコン薄膜材料が一層注目されている。
【０００４】
しかし、微結晶環境下では、１３．５６MHz  ＲＦで生成されるプラズマは、低いプラズマ密度、低い堆積速度、目標膜厚さに到達するまでの長い堆積時間および有意なバックグラウンド汚染を有する場合がある。したがって、多くの場合、作製される薄膜が高い不純物特性および不十分な光学的特性を有し、製品の品質および性能に深刻な影響を及ぼす。結晶シリコン薄膜技術が業界に十分に貢献するには、いかに高速堆積を行うかが重要になる。
【０００５】
超短波（ＶＨＦ）は、１３．５６MHzの二倍以上の正規の周波数を指す。業界で主に使用されるＶＨＦは、一般的に、２７．１２〜１００MHzの範囲である。しかし、容量放電モデルでは、ＶＨＦで生じる定在波効果および表皮効果が非常に顕著になり、駆動周波数が増大するとこれらの効果がより強くなる。カリフォルニア大学バークレー校のM. A. Lieberman教授は、これらの二つの効果について徹底的な調査を行った。彼の研究結果が示すように、均一な薄膜のＶＨＦ  ＰＥＣＶＤ堆積の重大な条件は、励起周波数（λ０）の自由空間波長が容量放電電極チャンバの寸法係数（Χ）よりもはるかに大きく、表皮深さ（δ）が厚さ許容係数（η０）よりもはるかに大きいことである。例として、１m2の放電面積および６０MHzの励起周波数では、λ０≒Χおよびδ≒ηである。そのため、この励起周波数では、表皮効果および定在波効果が非常に顕著になり、１m2の電極板上における不均一な放電につながる。
【０００６】
このように、ＶＨＦで駆動される大面積の均一な放電をいかに達成するかは、結晶シリコン薄膜技術のために対処すべき技術的問題の一つである。これは、業界内で大変な関心をも生じさせた。２００３年、米国特許第２００３／０１５０５６２Ａ１号は、ＶＨＦで生じる不均質性を改善するため、容量結合型放電で磁気ミラーを使用する方法を開示した。中国特許第２００７１０１５０２２７．４号、第２００７１０１５０２２８．９号および第２００７１０１５０２２９．３号は、均一な電界を得るため、ＶＨＦ信号の異なる給電形態を適用するＶＨＦの三つの電極設計を開示した。
【０００７】
しかし、依然として以下の問題が残ることができる：  １）ＶＨＦ−ＰＥＣＶＤチャンバ内の電極が複雑な設計構造を有する；  ２）継続的な改善の一つの理由として、反応チャンバおよび電極の定常的な組立／分解および清掃により、電極の異常な変形が生じることができる；  ３）既存特許で開示された多点給電構造は、個々の給電点の対称経路を要求する小さい接触表面を有することができ、給電点のボンディング導体とカソード板との間に接触がない。より具体的には、有効な放電のため、ボンディング導体とカソード板との間に隔離シールドが要望されることができる。これらの構造設計は、比較的厳しい実際の要件を有し、均一な放電のための多過ぎる決定因子を有し、実際の生産における要望、例えば、分解および清掃を満たすことができない。
【０００８】
よって、業界で使用される機器については、単点給電が設計の主流となっている。しかし、定在波効果および表皮効果のため、現在の単点給電構造は、高い給電周波数を増大させるという要求を満たすことができない。したがって、現在の市場需要を満たし、コストを低減するには、既存の堆積ホルダおよび電極をより実用的にするための、さらなる開発と改善が必要となるかもしれない。一方で、複数のガラスを加工または堆積することが可能なＣＶＤ電極要素を使用する傾向もある。よって、大量生産の需要を満たすために有効なＶＨＦ給電モデルを適用して、工業生産段階に入ることは、業界にとって大きな実用的意義がある。
【０００９】
発明の内容
本発明は、問題、例えば、ＶＨＦ駆動電源の放電の不均一性を解決し、大面積ＶＨＦ−ＰＥＣＶＤ堆積チャンバ内でむらのない電界を得るための新しいタイプの電極を提供することを企図する。そのような解決策を使用して、薄膜太陽電池を大量生産するための大面積多電極ＶＨＦ−ＰＥＣＶＤ電極アレイをもたらすことができる。
【００１０】
先行技術の問題を解決するため、開示される技術的解決策は：電極板要素と、電極板要素上に構成された信号給電ポートとを包含し、電極板要素のアノード板が電源信号のプラス端に接続および接地され、信号給電ポートがカソード板の裏側の中心領域の凹状円形領域に位置する。技術的解決策は、さらに以下を包含する：
信号給電要素が表面接触によって信号給電ポートに接続され、無線周波（ＲＦ）または超短波（ＶＨＦ）電源信号のマイナス端に接続され；
ＲＦ／ＶＨＦ電源信号が表面給電モードで給電され；
信号給電要素の一つの端部が半円形状であり；
カソード板のシールドカバーにスルーホールが構成される。
【００１１】
信号給電要素が絶縁層および外側シールド層を包含し、胴部およびヘッド部を有する段形状の導電性ストリップである。胴部が平坦であり、ヘッド部が半円形状である。信号給電要素が銅製の給電コア、絶縁層および外側シールド層を包含する。
【００１２】
開示される解決策における電極板は、単一表面放電カソード板、セラミック絶縁層およびシールドカバーを包含する。シールドカバーがカソード板の背面および側部表面全体を覆う。電極板要素がシールドカバーおよびアノード板を接地するための接地も包含し、カソード板とアノード板とが特定の放電距離で分離される。シールドカバーが、ＲＦ／ＶＨＦ電源信号を給電するために、カソード板の裏側の中央位置および周囲側部のシールドを包含する。信号給電要素の一つの端部が、ＲＦ／ＶＨＦ電源信号のマイナス出力ポートおよび電源整合装置に接続される。
【００１３】
さらに、開示される技術的解決策は、電極板要素上に構成された信号給電ポートを有する電極板要素を提供し；表面給電モードで無線周波（ＲＦ）または超短波（ＶＨＦ）電源信号を給電する、電極板要素のための信号給電方法を包含する。
信号給電要素を使用し、表面接触で信号給電ポートを接続してＲＦ／ＶＨＦ電源信号を給電することにより、表面給電モードが実現され；
カソード板の裏側の中心領域の凹状円形領域に信号給電ポートが位置し；
カソード板のシールドカバーにスルーホールが構成される。
【００１４】
信号給電要素がスルーホールから出る時にシールドカバーに接触しないように、カソード板のシールドカバーにスルーホールが構成される。
【００１５】
本発明の有益な効果は、側部給電モードを持つスロットタイプのカソード板と異なり、より高い均一性、より大きな放電面積および安定した放電性能を達成できることを包含する。さらに、接続容量がより小さく、実際の放電電力がより大きく、電極板アレイ間の無線周波干渉がより小さい。単一チャンバ堆積システムのカソード板中央点タイプの給電モードとも異なり、接続容量がより小さく、定在波効果および表皮効果がより小さく、一体型アレイタイプの多チャンバ堆積を得て生産効率を大きく向上させることができる。よって、ＶＨＦ電力給電形態および電極板構造を最適化することにより、ＲＦ／ＶＨＦ放電の均一性の解決策を得ることができ、これは、結晶化シリコン薄膜を高効率で作製する技術の前提となる。本発明は、大面積の均一な放電のため、任意の電力および２７．１２MHz〜２００MHzの範囲の正規のＶＨＦ周波数に適用可能である。この構造は、太陽電池の生産性を大きく向上し、そのコストを低減するため、複数ガラスの堆積システムに適用することができる。本発明は、従来の電極設計の技術的制約を打開し、ＶＨＦによって引き起こされる効果、例えば、定在波効果および表皮効果を事実上解消し、均一な放電を工業応用レベルまで向上させる。
【図面の簡単な説明】
【００１６】
【図１】本発明の第一の実施態様の構造図である。
【図２】反応チャンバ０１の構造図である。
【図３】図１の信号給電要素２０１の構造図である。
【図４】カソード板２０３の構造図である。
【図５】カソードシールドカバー２０４の構造図である。
【図６】本発明の第二の実施態様の構造図である。
【図７】本発明の第三の実施態様の構造図である。
【００１７】
図１〜図７では、電極板要素および信号給電要素が反応チャンバ０２内に配設される。反応チャンバ０２は、底部背面扉板２１１、上部背面扉板２１２、正面扉パネル２１５、側部フレーム２１６、底部ベース板２２１およびガスキャビティ２１４を包含する。底部ベース板２２１およびガスキャビティ２１４は、接地された金属案内溝２０９を有する。電極板要素は、アノード板２０８と、カソード板２０３と、カソード板２０３とカソードシールドカバー２０４との間に設置された絶縁層２０７を包含する。カソードシールドカバー２０４およびアノード板２０８は、接地される。
【００１８】
段形状の信号給電要素は、高温耐性の外側絶縁およびシールド層２０２を持つ胴部と、半円形状の信号給電表面２０１−１を持つヘッド部（または端部）とを包含する。半円形の給電表面２０１−１は、カソードシールドカバー２０４を持つカソード電極板２０３の裏側中心の凹状円形領域に位置する円形の表面給電ポート２０３−１に対応する。信号給電要素の胴部は、配設を容易にし、信号給電の損失が低くなるように平坦である。反応チャンバは、真空チャンバ０１の内側で放電し、基板２０６上にＰ−Ｉ−Ｎ膜層を堆積する。真空チャンバ０１は、ガスシステム供給口１０１、電源給電システム口１０２、真空チャンバ扉１０３、トラック１０４および真空システム供給口１０５を含有する。
【００１９】
本発明による表面給電電極の設計により、先に述べた本発明の目的を達成し、結晶シリコン系薄膜のための既存の多点給電ＶＨＦ−ＰＥＶＣＤ堆積手法の解決困難な多くの問題、例えば、反応チャンバの複雑な電極構造、電極の容易な変形、小さい接触面積および個々の給電点間における対称的な経路や完全なシールドの要求等が克服される。これらの問題は、本発明による表面給電電極設計に存在せず、チャンバの内側で電気を放電するために大面積の均一な電界を得ることができる。さらに、ＣＶＤ放電電極システムは、有効なＶＨＦ表面給電モードで複数のガラス板を加工または堆積し、実用可能な工業生産プロセスを達成し、シリコン系薄膜太陽電池の大量生産の要望を満たすことができる。
【００２０】
本発明の寄与は、ＶＨＦ電力駆動の高速堆積膜の均一性および一貫性に対する根本的な解決策を提供することも包含する。電極板要素および信号給電要素が反応チャンバ０２内に配設される。反応チャンバ０２は、真空チャンバ０１の内側で放電する。反応チャンバ０２は、底部背面扉板２１１、上部背面扉板２１２、正面扉パネル２１５、側部フレーム２１６、底部ベース板２２１およびガスキャビティ２１４を包含する。底部ベース板２２１およびガスキャビティ２１４は、接地された金属案内溝２０９を有する。絶縁層２０７は、カソード板２０３とカソードシールドカバー２０４との間に設置される。カソードシールドカバー２０４およびアノード板２０８は、接地される。
【００２１】
信号給電要素は、胴部と、半円形状であり、カソードシールドカバー２０４を持つカソード電極板２０３の中心の凹状円形領域に位置する給電ポート２０３−１に対応する端部２０１−１とを包含する。信号給電要素の胴部は、配設を容易にし、信号給電の損失が低くなるように平坦である。信号給電要素２０１の他の端部２０１−３は、ＲＦ／ＶＨＦ電源のマイナスポートおよび電力整合装置（図示せず）に接続する。信号給電要素２０１は、階段または段形状であり、一つの半円形端部が電極板要素の給電ポートと表面接触して接続し、接地された反応チャンバ０２内で電極板要素を形成し、その両方が絶縁およびシールド保護装置（図示せず）を有する。
【００２２】
態様の詳細な説明
第一の実施態様
電極板が垂直に配置され、カソードの給電ポートが円形形状であり、カソード電極板の裏側中心の凹状円形領域に位置する。信号給電要素は、平坦な胴部と、半円形状の信号給電表面を持つ一つの端部とを包含する。カソードシールドカバーにスルーホールが構成される。
【００２３】
この実施態様の原理を添付の図１〜図６と共に例示する。気相堆積システムは、主に、気相堆積チャンバ、ガスシステム、電力システム、真空システム、加熱システム、制御システムなどを包含する。ガスシステムは、主に、気相堆積のために異なるガスおよびガスラインを提供する。電力システムは、主に、膜堆積のためのプラズマを放電するための高周波または超短波の電力源を提供する。真空システムは、主に、真空排気機および真空管路を提供する。加熱システムは、主に、気相堆積チャンバに熱を供給する。制御システムは、主に、堆積プロセスのパラメータを制御する。気相堆積チャンバは、基板２０６上にガスで薄膜堆積を実現するための器具である。
【００２４】
気相堆積チャンバは、主に、真空チャンバ０１、反応チャンバ０２、電極板要素および信号給電要素を含む。真空チャンバ０１を使用して真空を達成する。反応チャンバ０２を使用してプラズマを放電し、基板２０６上にＰ−Ｉ−Ｎ薄膜層を堆積する。反応チャンバ０２は、底部背面扉板２１１、上部背面扉板２１２、正面扉パネル２１５、側部フレーム２１６、底部ベース板２２１およびガスキャビティ２１４を包含する。底部ベース板２２１およびガスキャビティ２１４は、接地された金属案内溝２０９を有する。絶縁層２０７は、カソード板２０３とカソードシールドカバー２０４との間に設置される。
【００２５】
段形状の信号給電要素は、高温耐性の外側絶縁およびシールド層２０２を持つ胴部と、半円形状の信号給電表面２０１−１を持つヘッド部とを包含する。半円形の給電表面２０１−１は、カソードシールドカバー２０４を持つカソード電極板２０３の裏側中心の凹状円形領域に位置する円形の表面給電ポート２０３−１に対応する。信号給電要素の胴部は、配設を容易にし、給電信号の損失が低くなるように平坦である。反応チャンバは、真空チャンバ０１の内側で放電し、基板２０６上にＰ−Ｉ−Ｎ膜層を堆積する。真空チャンバ０１は、ガスシステム給電口１０１、電源給電システム口１０２、真空チャンバ扉１０３、トラック１０４および真空システム供給口１０５を含有する。
【００２６】
信号給電要素２０１の一つの端部の半円形の給電表面２０１−１は、カソード板２０３の裏側中心の凹状円形領域に位置する給電ポート２０３−１と表面接触し、ＲＦ／ＶＨＦ電源信号を給電する。給電要素２０１の他の端部にあるスルーホール２０１−３は、電力コネクタ２０５に接続される。給電要素２０１がカソードシールドカバー２０４に接触しないようにするため、信号給電要素２０１の胴部は、高温耐性の絶縁およびシールド層２０２で覆われる。
【００２７】
信号給電要素２０１がカソードシールドカバー２０４に接触することなくカソード板２０３から出られるように、カソードシールドカバー２０４は、カソード板２０３の給電ポート２０３−１の場所に対応するスルーホール２０４−１を有する。給電要素２０１は、望ましい導電率を持つ金属銅のストリップまたはシートで作成することができ、カソードシールドカバー２０４およびアノード板２０８の両方が接地される。
【００２８】
事前に被覆された基板２０６を反応チャンバ０２内に設置し、反応チャンバ０２を真空チャンバ０１内に設置する。その後、真空チャンバ０１の可動扉１０３を閉じる。反応チャンバ０２に固定されたガス管の入口を真空チャンバ０１の内側のガスシステムポート１０１のノズルに接続し、電力コードの一つの端部を反応チャンバ０２の電力コネクタ２０５に接続し、電力コードの他の端部をＶＨＦ電力システムのアクセスポート１０２に接続する。
【００２９】
さらに、真空システムを通じて望ましい真空状態に到達することができる。その後、アルゴンガスをチャンバに充填する。チャンバ内の圧力が約６０Paに到達した時に、ＶＨＦ電源を入れ、電気を放電してチャンバを清掃した後、電力を切る。さらに、約５．０×１０−４Paの高度の真空に到達させ、アルゴンガスを充填してチャンバを清掃する。最後に、プロセスガスを約５slpmで反応チャンバに送って堆積プロセスを開始し、基板上の気相堆積膜を完成させる。
【００３０】
第二の実施態様
カソード板の給電ポートが円形形状であり、カソード電極板の裏側中心の凹状円形領域の円形表面上に位置する。信号給電要素は、平坦な胴部と、半円形状の信号給電表面を持つ一つの端部とを包含する。カソードシールドカバーにスルーホールが構成される。
【００３１】
図６に示すように、垂直に配置された反応チャンバを使用する。アノード板２０８およびカソード板２０３が電極の組を形成し、合計二つの基板２０６に同時に薄膜を堆積することができる。より具体的には：
【００３２】
ａ）  厚みが約６００nmの透明導電性膜でそれぞれ被覆された二つのガラス基板２０６（１６４０mm×７０７mm×３mm）を、膜側が外方を向き、ガラス側が電極板を向くように、反応チャンバ０２の対応する二つの基板場所に設置する。
【００３３】
ｂ）  真空チャンバの内側が約５．０×１０−４Paの真空状態に到達した時に、アルゴンガスを充填する。チャンバの内側の圧力が約６０Paに到達した時に、４０．６８MHzのＶＨＦ電源を入れ、４００Ｗで放電してチャンバを２分間清掃し、電源を切る。
【００３４】
ｃ）  約５．０×１０−４Paの高度の真空状態に到達させ、アルゴンガスで２回チャンバを清掃する。
【００３５】
ｄ）  ガス混合物（シランおよび水素）を５slpmでチャンバに導入し、チャンバの内側の圧力が約６０Paに到達した時に、４０．６８MHzのＶＨＦ電源を入れる。さらに、４００Ｗで放電し、微結晶シリコン真性層を４０分間堆積する。
【００３６】
ｅ）  電源を切り、高度の真空状態に到達させる。
【００３７】
ｆ）  チャンバに窒素ガスを大気圧まで充填し、真空チャンバの可動扉１０３を開き、反応チャンバ０２を取り出し、ＴＣＯガラスを室温で冷却する。
【００３８】
第三の実施態様
カソード板の給電ポートが円形形状であり、カソード電極板の裏側中心の凹状円形領域の円形表面上に位置する。信号給電要素は、平坦な胴部と、半円形状の信号給電表面を持つ一つの端部とを包含する。カソードシールドカバーにスルーホールが構成される。
【００３９】
図７に示すように、水平の反応チャンバを使用する。八つのアノード板２０８および八つのカソード板２０３が八組の電極を形成し、合計１６個の基板２０６に同時に薄膜を堆積することができる。詳細な手順を以下に説明する：
【００４０】
ａ）  厚みが約６００nmの透明導電性膜でそれぞれ被覆された１６個のガラス基板２０６（１６４０mm×７０７mm×３mm）を、膜側が外方を向き、ガラス側が電極を向くように、反応チャンバ０２の対応する１６個の基板場所に設置する。
【００４１】
ｂ）  真空チャンバの内側が約５．０×１０−４Paの真空状態に到達した時に、アルゴンガスを充填する。チャンバの内側の圧力が約６０Paに到達した時に、４０．６８MHzのＶＨＦ電源を入れ、４００Ｗで放電してチャンバを２分間清掃し、電源を切る。
【００４２】
ｃ）  約５．０×１０−４Paの高度の真空状態に到達させ、アルゴンガスで２回チャンバを清掃する。
【００４３】
ｄ）  ガス混合物（シランおよび水素）を５slpmでチャンバに導入し、チャンバの内側の圧力が約６０Paに到達した時に、４０．６８MHzのＶＨＦ電源を入れる。その後、４００Ｗで放電し、微結晶シリコン真性層を４０分間堆積する。
【００４４】
ｅ）  電源を切り、高度の真空状態に到達させる。
【００４５】
ｆ）  チャンバに窒素ガスを大気圧まで充填し、真空チャンバの可動扉１０３を開き、反応チャンバ０２を取り出し、ＴＣＯガラスを室温で冷却する。
【００４６】
先の詳細な解説は、本発明の態様を添付図と共に例示している。ただし、本発明は、特に給電要素およびカソード板の形状に関して先の態様に制限されない。当業者は、本発明の原理および目的を逸することなく、種々の変更を加えることができる。
【図１】
0005512886.tif 000002
【図２】
0005512886.tif 000003
【図３】
0005512886.tif 000004
【図４】
0005512886.tif 000005
【図５】
0005512886.tif 000006
【図６】
0005512886.tif 000007
【図７】
0005512886.tif 000008